(57)【要約】      （修正有）【課題】Ｎライン反転波形の駆動電圧を用いる垂直配向型の液晶表示装置において、表示均一性を保つために適切な駆動技術を提供すること。【解決手段】プレティルト角が９０°未満の垂直配向型の液晶表示装置において駆動電圧としてＮライン反転波形の駆動電圧を供給し、そのバイアス値をＢ、フレーム周波数をｆ、デューティ数をＬとしたときに、Ｎ≦(０．０３７４×Ｂ＋０．２２４３)×ｆ×(６４／Ｌ)＋(−１２．８８７×Ｂ＋５８．８３９)、の条件を満たすように前記Ｎの値を設定する。【選択図】図１０
2015179173.tif 000002
【特許請求の範囲】
【請求項１】
対向配置される第１基板及び第２基板と、
前記第１基板の一面側に設けられ、第１方向に沿って帯状に延在する複数の第１電極と、
前記第２基板の一面側に設けられ、前記第１方向と交差する第２方向に沿って帯状に延在する複数の第２電極と、
前記第１基板と前記第２基板の各一面の間に設けられた、プレティルト角が９０°未満で略垂直配向した液晶層と、
前記複数の第１電極及び前記複数の第２電極を介して前記液晶層へマルチプレックス駆動の駆動電圧を供給する駆動手段と、
を含み、
前記複数の第１電極と前記複数の第２電極との交差領域の各々において画素領域が画定されており、
前記液晶層は、層厚方向の略中央における液晶分子の配向方向が前記第２方向と略直交するように配向しており、
前記駆動手段は、前記駆動電圧としてＮライン反転波形の駆動電圧を供給しており、そのバイアス値をＢ、フレーム周波数をｆ、デューティ数をＬとしたときに、
Ｎ≦(０．０３７４×Ｂ＋０．２２４３)×ｆ×(６４／Ｌ)＋(−１２．８８７×Ｂ＋５８．８３９)、の条件を満たすように前記Ｎの値を設定する、
液晶表示装置。
【請求項２】
前記バイアス値の最適値が√Ｌ＋１で定義されるとき、前記バイアス値Ｂは前記最適値よりも小さい値に設定される、
請求項１に記載の液晶表示装置。
【請求項３】
前記Ｎライン反転波形は、１フレーム終了後には極性反転を正又は負に強制反転させて、連続する２つのフレームの開始ラインでは極性が逆である、
請求項１又は２に記載の液晶表示装置。
【請求項４】
前記複数の第１電極の各々は、前記第１方向に沿って間隔をおいて配置されており前記第２方向に沿って延在する複数の開口部と、前記複数の開口部の各々の一端と前記複数の第１電極のエッジとの間に設けられる複数の電極接続部と、を有しており、
前記複数の開口部の各々は、前記複数の第２電極のいずれかの一方エッジと重畳して配置されている、
請求項１〜３の何れか１項に記載の液晶表示装置。
【請求項５】
（ａ）対向配置される第１基板及び第２基板と、（ｂ）前記第１基板の一面側に設けられ、第１方向に沿って帯状に延在する複数の第１電極と、（ｃ）前記第２基板の一面側に設けられ、前記第１方向と交差する第２方向に沿って帯状に延在する複数の第２電極と、（ｄ）前記第１基板と前記第２基板の各一面の間に設けられた、プレティルト角が９０°未満で略垂直配向した液晶層と、（ｅ）前記複数の第１電極及び前記複数の第２電極を介して前記液晶層へマルチプレックス駆動の駆動電圧を供給する駆動手段とを含み、（ｆ）前記複数の第１電極と前記複数の第２電極との交差領域の各々において画素領域が画定されており、（ｇ）前記液晶層は、層厚方向の略中央における液晶分子の配向方向が前記第２方向と略直交するように配向している、液晶表示装置の駆動方法であって、
前記駆動手段は、前記駆動電圧としてＮライン反転波形の駆動電圧を供給しており、そのバイアス値をＢ、フレーム周波数をｆ、デューティ数をＬとしたときに、
Ｎ≦(０．０３７４×Ｂ＋０．２２４３)×ｆ×(６４／Ｌ)＋(−１２．８８７×Ｂ＋５８．８３９)、の条件を満たすように前記Ｎの値を設定する、
液晶表示装置の駆動方法。
【発明の詳細な説明】
【技術分野】
【０００１】
本発明は、液晶表示装置およびその駆動技術に関する。
【背景技術】
【０００２】
マルチプレックス駆動によって動作する垂直配向型液晶表示装置に関する先行技術としては、例えば特開２０１１−９９９０９号公報（特許文献１）に開示される液晶表示装置が知られている。この先行技術に係る液晶表示装置は、液晶分子へ付与されたプレティルト角が８９．８°以上９０°未満であり、かつ配向状態がモノドメイン配向である液晶層を備えた垂直配向型の液晶表示装置であって、デューティ比が１／１６以上に設定され、バイアス値が最適バイアス値より小さく設定された駆動条件によってマルチプレックス駆動するものである。この構成によれば、表示均一性を保ちつつフレーム周波数を低下させることが可能な液晶表示装置が提供される。
【０００３】
ところで、上記した特許文献１では主に駆動電圧をフレーム反転波形とした場合の好適条件について開示されており、駆動電圧をＮライン反転波形とした場合において反転ライン数Ｎをどのように設定するのが適切であるのかという点については特段に開示されていない。特に、ライン反転数Ｎとバイアス値、フレーム周波数の関係性については明確に示されていない。
【先行技術文献】
【特許文献】
【０００４】
【特許文献１】特開２０１１−９９９０９号公報
【発明の概要】
【発明が解決しようとする課題】
【０００５】
本発明に係る具体的態様は、Ｎライン反転波形の駆動電圧を用いる垂直配向型の液晶表示装置において、表示均一性を保つために適切な駆動技術を提供することを目的の１つとする。
【課題を解決するための手段】
【０００６】
本発明に係る一態様の液晶表示装置は、（ａ）対向配置される第１基板及び第２基板と、（ｂ）前記第１基板の一面側に設けられ、第１方向に沿って帯状に延在する複数の第１電極と、（ｃ）前記第２基板の一面側に設けられ、前記第１方向と交差する第２方向に沿って帯状に延在する複数の第２電極と、（ｄ）前記第１基板と前記第２基板の各一面の間に設けられた、プレティルト角が９０°未満で略垂直配向した液晶層と、（ｅ）前記複数の第１電極及び前記複数の第２電極を介して前記液晶層へマルチプレックス駆動の駆動電圧を供給する駆動手段とを含み、（ｆ）前記複数の第１電極と前記複数の第２電極との交差領域の各々において画素領域が画定されており、（ｇ）前記液晶層は、層厚方向の略中央における液晶分子の配向方向が前記第２方向と略直交するように配向しており、（ｈ）前記駆動手段は、前記駆動電圧としてＮライン反転波形の駆動電圧を供給しており、そのバイアス値をＢ、フレーム周波数をｆ、デューティ数をＬとしたときに、Ｎ≦(０．０３７４×Ｂ＋０．２２４３)×ｆ×(６４／Ｌ)＋(−１２．８８７×Ｂ＋５８．８３９)、の条件を満たすように前記Ｎの値を設定する、液晶表示装置である。
【０００７】
上記構成によれば、Ｎライン反転波形の駆動電圧を用いる垂直配向型の液晶表示装置において、表示均一性を保つために適切な駆動条件で動作する液晶表示装置が得られる。
【０００８】
上記の液晶表示装置においては、バイアス値の最適値が√Ｌ＋１で定義されるとき、前記バイアス値Ｂは前記最適値よりも小さい値に設定されることも好ましい。
【０００９】
これにより、表示均一性を保ちつつフレーム周波数の低減効果が得られる。
【００１０】
上記の液晶表示装置において、Ｎライン反転波形は、１フレーム終了後には極性反転を正又は負に強制反転させて、連続する２つのフレームの開始ラインでは極性が逆であることも好ましい
【００１１】
上記の液晶表示装置において、複数の第１電極の各々は、前記第１方向に沿って間隔をおいて配置されており前記第２方向に沿って延在する複数の開口部と、前記複数の開口部の各々の一端と前記複数の第１電極のエッジとの間に設けられる複数の電極接続部と、を有しており、前記複数の開口部の各々は、前記複数の第２電極のいずれかの一方エッジと重畳して配置されていることも好ましい。
【００１２】
これにより、画素領域のエッジ付近における暗領域の発生状態が均一化され、表示均一性（特に反視認方向）を向上させることができる。
【００１３】
本発明に係る一態様の液晶表示装置の駆動方法は、（ａ）対向配置される第１基板及び第２基板と、（ｂ）前記第１基板の一面側に設けられ、第１方向に沿って帯状に延在する複数の第１電極と、（ｃ）前記第２基板の一面側に設けられ、前記第１方向と交差する第２方向に沿って帯状に延在する複数の第２電極と、（ｄ）前記第１基板と前記第２基板の各一面の間に設けられた、プレティルト角が９０°未満で略垂直配向した液晶層と、（ｅ）前記複数の第１電極及び前記複数の第２電極を介して前記液晶層へマルチプレックス駆動の駆動電圧を供給する駆動手段とを含み、（ｆ）前記複数の第１電極と前記複数の第２電極との交差領域の各々において画素領域が画定されており、（ｇ）前記液晶層は、層厚方向の略中央における液晶分子の配向方向が前記第２方向と略直交するように配向処理されている、液晶表示装置の駆動方法であって、（ｈ）前記駆動手段は、前記駆動電圧としてＮライン反転波形の駆動電圧を供給しており、そのバイアス値をＢ、フレーム周波数をｆ、デューティ数をＬとしたときに、Ｎ≦(０．０３７４×Ｂ＋０．２２４３)×ｆ×(６４／Ｌ)＋(−１２．８８７×Ｂ＋５８．８３９)、の条件を満たすように前記Ｎの値を設定する、液晶表示装置の駆動方法である。
【００１４】
上記構成によれば、Ｎライン反転波形の駆動電圧を用いる垂直配向型の液晶表示装置において、表示均一性を保つために適切な駆動条件で動作させることが可能な液晶表示装置の駆動方法が得られる。
【図面の簡単な説明】
【００１５】
【図１】図１は、一実施形態の液晶表示装置（液晶パネル）の構造を示す模式的な断面図である。
【図２】図２は、液晶表示装置のより詳細な構成例を示す図である。
【図３】図３（Ａ）および図３（Ｂ）は、第１電極および第２電極の詳細な構造を説明するための平面図である。
【図４】図４は、実施例の液晶表示装置の明表示時の配向組織を示す図である。
【図５】図５は、バイアスＢとフレーム周波数ｆの各値における表示均一性が得られる反転ライン数Ｎを示した表である。
【図６】図６は、図５に示した各データを、横軸をフレーム周波数ｆ、縦軸を反転ライン数Ｎとし、バイアスＢごとに表したグラフである。
【図７】図７は、上記した図６に示した線形モデル式におけるバイアス値ごとの傾きａと切片ｂを示した表である。
【図８】図８は、図７に示した傾きａと切片ｂのバイアス値依存性をプロットしたグラフである。
【図９】図９は、図７に示した傾きａと切片ｂのバイアス値依存性をプロットしたグラフである。
【図１０】図１０は、数式による近似値と図５、６で示した実測値のプロットを重ねて示したグラフである。
【発明を実施するための形態】
【００１６】
以下に、本発明の実施の形態について図面を参照しながら説明する。
【００１７】
図１は、一実施形態の液晶表示装置（液晶パネル）の構造を示す模式的な断面図である。図１に示す本実施形態の液晶表示装置は、対向配置された第１基板１と第２基板２と、両基板の間に配置された液晶層３と、を主に備える。第１基板１の外側には第１偏光板４が配置され、第２基板２の外側には第２偏光板５が配置されている。第１基板１と第１偏光板４の間には第１視角補償板６が配置され、第２基板２と第２偏光板５の間には第２視角補償板７が配置されている。液晶層３の周囲はシール材によって封止されている。以下、さらに詳細に液晶表示装置の構造を説明する。
【００１８】
第１基板１および第２基板２は、それぞれ、例えばガラス基板、プラスチック基板等の透明基板である。第１基板１と第２基板２との相互間には、スペーサー（粒状体）が分散して配置されている。これらのスペーサーにより、第１基板１と第２基板２との間隙が所定値（例えば５μｍ程度）に保たれる。
【００１９】
液晶層３は、第１基板１の第１電極１１と第２基板２の第２電極１２との相互間に設けられている。本実施形態においては、誘電率異方性Δεが負（Δε＜０）の液晶材料（ネマティック液晶材料）を用いて液晶層３が構成されている。液晶層３に図示された太線は、電圧無印加時における液晶分子の配向方位を模式的に示したものである。図示のように、本実施形態の液晶表示装置においては、液晶層３の液晶分子の配向状態がモノドメイン配向にされている。
【００２０】
第１電極１１は、第１方向（本例では紙面に直交する方向）に沿って延びる複数の短冊状電極を有しており、第１基板１の一面上に設けられている。第２電極１２は、上記の第１方向と交差する第２方向（本例では紙面の左右方向）に沿って延びる複数の短冊状電極を有しており、第２基板２の一面上に設けられている。第１電極１１および第２電極１２は、例えばインジウム錫酸化物（ＩＴＯ）などの透明導電膜を適宜パターニングすることによって構成されている。本実施形態の液晶表示装置は、第１電極１１と第２電極１２とが交差する箇所のそれぞれが画素領域となるドットマトリクス型の液晶表示装置である。
【００２１】
配向膜８は、第１基板１の一面側に、第１電極１１を覆うようにして設けられている。同様に、配向膜９は、第２基板２の一面側に、第２電極１２を覆うようにして設けられている。本実施形態においては、配向膜８および配向膜９としては、液晶層３の初期状態（電圧無印加時）における配向状態を垂直配向状態に規制するもの（垂直配向膜）が用いられている。より詳細には、各配向膜８、９としては、液晶層３の液晶分子に対して９０°に極めて近い角度（８９．８°〜８９．９５°程度）のプレティルト角を付与し得るものが用いられる。プレティルト角の詳細についてはさらに後述する。
【００２２】
図２は、液晶表示装置のより詳細な構成例を示す図である。図２に示す液晶表示装置は、液晶パネル１０１と、バックライトユニット１０２と、液晶パネル用駆動回路１０３と、バックライトユニット用駆動回路１０４と、制御装置１０５と、温度センサー１０６と、を含んで構成されている。液晶パネル１０１は、上記した図１に示した液晶表示装置と同一の構成を備える。バックライトユニット１０２は、白色ＬＥＤ等の光源を備えており、液晶パネル１０１の背面に配置される。液晶パネル用駆動回路１０３は、液晶パネル１０１と接続されており、当該液晶パネル１０１に対して駆動電圧（駆動電力）を供給する。バックライトユニット用駆動回路１０４は、バックライトユニット１０２の動作制御、具体的には点灯／消灯や輝度調整などを行う。制御装置１０５は、液晶パネル用駆動回路１０３およびバックライトユニット用駆動回路１０４のそれぞれと接続されており、これらの動作制御を行う。温度センサー１０６は、液晶パネル１０１、バックライトユニット１０２等のいずれかの内部又は表面に設定されており、温度に応じた電気信号を出力する。温度センサー１０６は複数設けられていてもよい。なお、液晶パネル用駆動回路１０３および制御装置１０５が「駆動手段」に相当する。
【００２３】
図３（Ａ）および図３（Ｂ）は、第１電極および第２電極の詳細な構造を説明するための平面図である。各図では、液晶パネル１０１の第１基板１側から平面視した場合における各電極の平面形状が示されている。図３（Ａ）に示すように、各第１電極１１は、図中の上下方向に延在するストライプ状に形成されている。また、各第２電極１２は、図中の左右方向に延在するストライプ状に形成されている。各第１電極１１と各第２電極１２とが交差する領域が画素領域１６に相当する。液晶層３の層厚方向の略中央における液晶分子の配向方向１７は、各第２電極１２の延在方向（図中の左右方向）に対して略直交している。この配向方向１７は、各配向膜８、９に対する配向処理方向（例えばラビング処理の方向）によって規定される。例えば本実施形態では、配向膜８に対するラビング処理の方向を各第１電極１１の延在方向と略平行な方向とし、配向膜９に対するラビング処理の方向を各第２電極１２の延在方向と略直交する方向とすることにより、図示のような配向方向１７が規定されている。また、各偏光板４、５の吸収軸１３、１４は、両者が略直交し、かつそれぞれが第２電極１２の延在方向に対して略４５°の角度をなすように配置されている。
【００２４】
ここで、各第１電極１１は、各第２電極１２の配置間隔におおよそ対応した間隔で配置された複数の開口部１５を有する。図示の例において、各開口部１５は、第１電極１１の右エッジから左エッジへ向けて、もしくはその逆で左エッジから右エッジへ向けて設けられている。各開口部１５の長手方向の一端と第１電極１１のエッジとの間には、第１電極１１の断線を防ぐための電極接続部１８が周期的に設けられている。各開口部１５は、それぞれの長手方向が各第２電極１２の延在方向と略平行となるようにして各画素領域１６の図中上側に配置されている。そして、１つの開口部１５に着目すると、その開口部１５は、自身が対応づけられる１つの画素領域１６において、平面視で図中上側に位置する第２電極１２の一方エッジと重なるようにして配置されている。これにより、各開口部１５が設けられた領域においては、液晶分子の配向方向１７と同じ方向と斜め電界が発生するため、各画素領域１６を明表示状態にするように電圧を印加したときにおいて画素領域１６の上側エッジ付近に暗領域が生じるのを抑えることができる。
【００２５】
上記した各電極接続部１８の幅、すなわち各開口部１５の一端と各第１電極１１のエッジとの間の距離は６０μｍ以下とすることが望ましい。これは、特開２０１２−９８３３３号公報において示されるブラッククロスが各電極のエッジから６０μｍ以内に生じるという知見に準じるものであり、ブラッククロスの位置が各画素領域１６でばらつかないようにするために効果的な数値範囲である。
【００２６】
なお、図３（Ｂ）に示すように、各開口部１５は、すべて第１電極１１の一方エッジから他方エッジへ向けて設けられていてもよい。図３（Ｂ）の例示では各開口部１５がすべて第１電極１１の右エッジから左エッジへ設けられているが、逆でもよい。
【００２７】
図４は、実施例の液晶表示装置の明表示時の配向組織を示す図である。なお、実施例の液晶表示装置は、誘電率異方性が負で屈折率異方性が０．１８の液晶材料を用いて液晶層を形成し、その層厚（セル厚）を５μｍとし、プレティルト角を８９．８°として作製された。各偏光板の吸収軸の配置についても上記同様である（図３参照）。また、各画素領域の大きさを４５０μｍ角とし、隣り合う画素領域同士の相互間距離を３０μｍとし、電極接続部の幅を５０μｍとし、各開口部のスリット幅（図中の上下方向における幅）を３０μｍとし、かつ各開口部のスリット幅方向の略中央に各第２電極のエッジが重なるようにした。図示のように、各開口部の画素領域内側エッジには暗領域が発生せず、開口部の一端と第１電極のエッジの間（すなわち電極接続部）において暗領域およびブラッククロスが観察される。本例では各開口部が第１電極の延在方向（上下方向）において左右交互に配置されているので電極接続部も左右交互に配置されている。各電極接続部では暗領域およびブラッククロスが形成されているがいずれも左右対称でほぼ同等な形状となっていることがわかる。また、暗領域が画素領域の内側へは大きく張り出さないため、開口率低下を抑制することが可能であり、かつプレティルト角に依存しない開口率を実現できると考えられる。この実施例の液晶表示装置は、外観観察においても、反視認方向における表示均一性が良好であることを確認できた。
【００２８】
次に、液晶表示装置の駆動条件について説明する。ここでは、駆動条件を種々に設定して上記した実施例の液晶表示装置を動作させた。この実施例の液晶表示装置の有効表示部は略１５ｍｍ角、セル外形は略２５ｍｍ角である。また、駆動手段からは走査線数６４本時におけるＮライン反転波形の駆動電圧を供給し、その電圧値は最大コントラストが得られる条件に設定した。また、連続するフレームにおいては、１フレーム終了後には極性反転を正又は負に強制反転させて、連続する２つのフレームの開始ラインでは極性が逆となるようにした。これは平均電圧を０Ｖに近づけて、焼き付きを防止するためである。外観観察は液晶表示装置の正面からの観察のみとし、観察時の雰囲気温度は６０℃とした。これらの条件下、バイアス値Ｂ（バイアス比１／Ｂ）は７〜１０に設定し、フレーム周波数ｆは６０〜２００Ｈｚに設定し、バイアス値Ｂと周波数ｆを固定した状態で反転ライン数Ｎを変化させたときに、表示均一性が得られる最大の反転ライン数Ｎを測定した。
【００２９】
図５は、バイアス値Ｂとフレーム周波数ｆの各値における表示均一性が得られる反転ライン数Ｎを示した表である。また、図６は、図５に示した各データを、横軸をフレーム周波数ｆ、縦軸を反転ライン数Ｎとし、バイアス値Ｂごとに表したグラフである。図６の図中には、各バイアス値において異なるプロットをＮ＝ａ×ｆ＋ｂの線形モデル式により最小二乗法にて実測値とフィッティングした直線も併せて示されている。また、図７は、上記した図６に示した線形モデル式におけるバイアス値ごとの傾きａと切片ｂを示した表である。
【００３０】
上記のようにデューティ数Ｌは６４であるため、√Ｌ＋１で定義されるバイアス値Ｂの最適値は９である。各バイアス値において反転ライン数Ｎはフレーム周波数ｆに対して実測値とフィッティング値の傾向が等しいことが明らかである。また、バイアス値が低下するにしたがって低いフレーム周波数ｆにおいて反転ライン数Ｎを大きく設定できる傾向にあることがわかる。すなわち、バイアス値が低くなることにより同じ反転ライン数Ｎでもフレーム周波数ｆを低く設定できることが明らかである。
【００３１】
各バイアス値には相関性があると考えられることから、反転ライン数Ｎをフレーム周波数ｆとバイアス値Ｂを変数とする関数式により表現する。図８および図９は、図７に示した傾きａと切片ｂのバイアス値依存性をプロットしたグラフである。図８において、ａ＝ｃ×Ｂ＋ｄの線形モデル式により最小二乗法でフィッティングを行うと、ａ＝０．００３７４×Ｂ＋０．２２４３の直線にて近似できることがわかった。また、図９において、ｂ＝ｅ×Ｂ＋ｇの線形モデル式により最小二乗法でフィッティングを行うと、ｂ＝−１２．８８７×Ｂ＋５８．８３９の直線にて近似できることがわかった。
【００３２】
以上の傾きａ、切片ｂの近似式を用いると、表示ムラが観察されない最大の反転ライン数Ｎは以下の式によって表すことができる。
Ｎ＝(０．０３７４×Ｂ＋０．２２４３)×ｆ＋(−１２．８８７×Ｂ＋５８．８３９)
この数式による近似値と図５、６で示した実測値のプロットを重ねて示したのが図１０のグラフである。実測値と近似値はバイアス値に依存せずにほぼ等しい傾向が得られていることがわかる。
【００３３】
以上の解析により、外観観察時の表示ムラが観察されない反転ライン数Ｎは以下の式で求められることがわかる。
Ｎ≦(０．０３７４×Ｂ＋０．２２４３)×ｆ＋(−１２．８８７×Ｂ＋５８．８３９)
【００３４】
上記の解析結果は、反転ライン数Ｎが小さくなることにより実質的な高周波成分が増加しフレーム周波数ｆを低減するためと考えられる。このことから、デューティ数が増加することも同等な効果があると考えられる。デューティ数が大きくなるにしたがって高周波成分が増加することを考慮すると、上記解析結果はデューティ数が６４の場合であったので、例えばデューティ数が１２８になった場合には２倍の高周波成分が含まれることになる。したがって、フレーム周波数ｆはデューティ数が６４の場合と比べて半分になったとしても同様な効果が得られると考えられる。この視点から、反転ライン数Ｎをバイアス値Ｂ、フレーム周波数ｆ、デューティ数Ｌで表現すると以下のようになる。ただし、反転ライン数Ｎは、１より大きくデューティ数Ｌ未満である。
Ｎ≦(０．０３７４×Ｂ＋０．２２４３)×ｆ×(６４／Ｌ)＋(−１２．８８７×Ｂ＋５８．８３９)
【００３５】
上記の解析結果は雰囲気温度を６０℃とした場合であって、温度低下により反転ライン数Ｎをより大きく設定できる。したがって、駆動手段に接続された温度センサー１０６によって検出される雰囲気温度に応じてバイアス値、フレーム周波数、反転ライン数Ｎを可変に設定してもよい。
【００３６】
なお、本発明は上述した実施形態の内容に限定されるものではなく、本発明の要旨の範囲内において種々に変形して実施をすることが可能である。例えば、上記した実施形態では、液晶層はねじれ配向とされていない場合について例示していたが、ねじれ配向していてもよい。
【符号の説明】
【００３７】
１：第１基板
２：第２基板
３：液晶層
４：第１偏光板
５：第２偏光板
６：第１視角補償板
７：第２視角補償板
８、９：配向膜
１１：第１電極
１２：第２電極
１３，１４：吸収軸方向
１５：開口部
１６：画素領域
１７：液晶層の層厚方向の略中央における液晶分子の配向方向
１８：電極接続部
１０１：液晶パネル
１０２：バックライトユニット
１０３：液晶パネル用駆動回路
１０４：バックライトユニット用駆動回路
１０５：制御装置
１０６：温度センサー
【図１】
2015179173.tif 000003
【図２】
2015179173.tif 000004
【図３】
2015179173.tif 000005
【図５】
2015179173.tif 000006
【図７】
2015179173.tif 000007
【図４】
2015179173.tif 000008
【図６】
2015179173.tif 000009
【図８】
2015179173.tif 000010
【図９】
2015179173.tif 000011
【図１０】
2015179173.tif 000012